(57)【特許請求の範囲】
【請求項１】
スピーカボックスの底部に設けられ、スピーカスタンドの上端部を挿入して前記スピーカボックスと前記スピーカスタンドとを連結する筒状部を有する連結装置において、
前記スピーカボックスに組み付けられ、前記筒状部を支持する支持面を有し、前記支持面に垂直な方向に延設された回転軸回りに回転可能に、前記筒状部を前記支持面側にて支持する支持部材を設け、
前記筒状部の中心軸と前記回転軸とが所定の角度をなすように前記筒状部を延設し、かつ内周面に前記スピーカスタンドの上端部の外周面を当接させたことを特徴とする連結装置。
【請求項２】
請求項１に記載の連結装置において、
前記支持部材を前記スピーカボックスに組み付けた状態において、前記スピーカボックスの底面と前記支持面とが所定の傾斜角度をなすように前記支持面を傾斜させ、前記筒状部の中心軸と前記回転軸とが、前記傾斜角度と同じ角度をなすように前記筒状部を延設したことを特徴とする連結装置。
【請求項３】
請求項１又は請求項２に記載の連結装置において、
前記筒状部に当接して、前記筒状部の前記回転軸回りの回転を所定の回転位置及び前記所定の位置から１８０°回転させた回転位置にて停止させて保持する保持機構を備えたことを特徴とする連結装置。
【発明の詳細な説明】
【技術分野】
【０００１】
本発明は、スピーカボックスをスピーカスタンドに連結する連結装置に関する。
【背景技術】
【０００２】
従来から、例えば下記非特許文献１に記載されているように、下部をポール状のスピーカスタンドによって支持されるスピーカボックスは知られている。このスピーカボックスは、スピーカスタンドの先端部を保持するソケットを備えている。このソケットは、スピーカスタンドの先端部を挿入する筒状部を備えていて、この筒状部は、スピーカボックスの底面に垂直な方向に延設されている第１の状態と、スピーカボックスの底面に対して後方へ傾いて延設されている第２の状態とを切り替え可能に構成されている。すなわち、筒状部は下端部を支点として前後方向に回動可能に構成されている。
【先行技術文献】
【非特許文献】
【０００３】
【非特許文献１】「Ｋ  Ｓｅｒｉｅｓ  Ｕｓｅｒ  Ｍａｎｕａｌ」（２００９年  ＱＳＣ  Ａｕｄｉｏ  Ｐｒｏｄｕｃｔｓ）http://media.qscaudio.com/pdfs/manuals/K_Series_User_Manual_EN_revA.pdf
【発明の概要】
【０００４】
上記非特許文献１に記載のスピーカボックスにおいては、筒状部は、その前後方向の回動を規制するための規制部材を備えたケースに覆われている。したがって、このケースの容積の分だけ、スピーカボックス内の容積が減少する。そのため、スピーカの音質が低下していた。
【０００５】
本発明は上記問題に対処するためになされたもので、その目的は、スピーカボックスをスピーカスタンドに連結する連結装置であって、スピーカの放音方向を簡単に変更でき、かつスピーカの音質に与える影響を最小限に抑えた連結装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、スピーカボックス（２０）の底部に設けられ、スピーカスタンド（１０）の上端部を挿入してスピーカボックスとスピーカスタンドとを連結する筒状部（３４）を有する連結装置（３０）において、スピーカボックスに組み付けられ、筒状部を支持する支持面を有し、前記支持面に垂直な方向に延設された回転軸回りに回転可能に、筒状部を前記支持面側にて支持する支持部材（３１）を設け、筒状部の中心軸と前記回転軸とが所定の角度をなすように筒状部を延設し、かつ内周面にスピーカスタンドの上端部の外周面を当接させたことにある。この場合、支持部材をスピーカボックスに組み付けた状態において、スピーカボックスの底面と前記支持面とが所定の傾斜角度をなすように前記支持面を傾斜させ、筒状部の中心軸と前記回転軸とが、前記傾斜角度と同じ角度をなすように筒状部を延設するとよい。
【０００７】
上記のように構成した連結装置によれば、筒状部をその回転軸回りに回すだけで、スピーカの放音方向を変更できる。また、この放音方向の変更作業においては、スピーカボックスをスピーカスタンドから取り外す必要が無い。したがって、簡単にスピーカの放音方向を変更できる。また、上記従来の連結装置のような、筒状部を覆うケースが不要なので、スピーカボックスの内部において、連結装置が占有する空間は小さい。したがって、スピーカの音質に与える影響を最小限に抑えることができる。
【０００８】
また、本発明の他の特徴は、筒状部に当接して、筒状部の前記回転軸回りの回転を所定の回転位置及び前記所定の位置から１８０°回転させた回転位置にて停止させて保持する保持機構（３２，３３，３４ａ１，３４ａ２）を備えたことにある。これによれば、スピーカスタンドに連結されたスピーカボックスに少し触れただけで放音方向がずれてしまうことを防止できる。
【図面の簡単な説明】
【０００９】
【図１】本発明の一実施形態に係る連結装置を用いて連結されたスピーカボックスとスピーカスタンドの概略図である。
【図２】連結装置の筒状体を第１回転位置にセットした場合のスピーカボックスの縦断側面図である。
【図３】連結装置の筒状体を第１回転位置にセットした場合のスピーカボックスの底面図である。
【図４】本発明の一実施形態に係る連結装置を斜め後方から見た斜視図である。
【図５】図４の連結装置の分解斜視図である。
【図６Ａ】図５の台座の縦断側面図である。
【図６Ｂ】図５の台座の筒状体支持部の平面図である。
【図７Ａ】図５の板バネの正面図である。
【図７Ｂ】図５の板バネの平面図である。
【図８Ａ】図５の筒状体の縦断側面図である。
【図８Ｂ】図５の筒状体の底面図である。
【図９】連結装置の筒状体を第２回転位置にセットした場合のスピーカボックスの縦断側面図である。
【図１０】連結装置の筒状体を第２回転位置にセットした場合のスピーカボックスの底面図である。
【図１１Ａ】スピーカの放音方向を水平方向に設定した場合の側面図である。
【図１１Ｂ】スピーカの放音方向を斜め下方向に設定した場合の側面図である。
【発明を実施するための形態】
【００１０】
以下、本発明の一実施形態に係る連結装置について説明する。まず、この連結装置によって連結されるスピーカスタンド１０及びスピーカボックス２０の構成について簡単に説明しておく。図１に示すように、スピーカスタンド１０は、床に設置される脚部１１と、脚部１１から上方へ延設された連結部１２からなる。連結部１２は、押し出し加工により形成された、断面形状が円形のパイプである。
【００１１】
スピーカボックス２０は、図２に示すように、前板２１ａ、底板２１ｂ、上蓋２１ｃ、回路ケース２１ｄ及び左右一対の側板２１eからなる箱状のエンクロージャ２１を有する。なお、図２においては、左側の側板２１ｅは図示されているが、右側の側板２１ｅは紙面の手前側に位置するので図示されていない。
【００１２】
前板２１ａには、上下一対の開口部が設けられていて、この開口部に、それぞれスピーカユニット２２，２３が組み付けられている。上側のスピーカユニット２２は、高音再生用のスピーカユニットであって、能率良く音波を放射するためのホーン２２ａを備えている。下側のスピーカユニット２３は、中低音再生用のスピーカユニットである。
【００１３】
つぎに、底板２１ｂについて図３を用いて説明する。図３の上側が、スピーカボックス２０の前側であり、図３の下側がスピーカボックス２０の後側である。同図に示すように、底板２１ｂは、前端部の左右方向の幅よりも中間部の左右方向の幅がやや狭く、中間部の左右方向の幅よりも後端部の左右方向の幅がさらに狭い六角形の板状に形成されている。底板２１ｂの中央には、スピーカスタンド１０とスピーカボックス２０とを連結する連結装置３０が組み付けられている。また、底板２１ｂの底面の角部には、スピーカスタンド１０を用いない場合に、設置面と当接して底板２１ｂを支持する脚部２１ｂ１が設けられている。また、底板２１ｂの底面であって、連結装置３０の左側及び右側には、スピーカボックス２０を壁面に固定するための壁面固定用ねじ２１ｂ２が組み付けられている。
【００１４】
上蓋２１ｃは、樹脂成型により一体的に設けられる。上蓋２１ｃの平面図を省略しているが、上蓋２１ｃの平面視における外形は、底板２１ｂと同様の六角形である。また、上蓋２１ｃは、中央に凹部を有する。この凹部の上端部には、左右方向に延設された棒状のハンドル２１ｃ１が設けられている。ユーザは、ハンドル２１ｃ１を掴んでスピーカボックス２０を運搬できる。
【００１５】
回路ケース２１ｄは、後方に開放された箱状の部材で、図示しない増幅回路、入出力端子などを組み付けることができるようになっている。回路ケース２１ｄの上端部が上蓋２１ｃの後端部に組み付けられ、回路ケース２１ｃの下端部が底板２１ｂの後端部に組み付けられる。
【００１６】
左右一対の側板２１ｅは、それぞれ、板状に形成され、前板２１ａの左右端から、底板２１ｂ及び上蓋２１ｃの周縁に沿って回路ケース２１ｄの左右端まで延設されている。
【００１７】
連結装置３０は、図４、図５、図６Ａ及び図６Ｂに示すように、台座３１、板バネ３２，３３、筒状体３４、円板３５及び固定板３６からなる。台座３１は、樹脂成型により一体的に設けられる。台座３１は、下部に板状のベース部３１ａを有する。ベース部３１ａには、強度を向上するための複数のリブが設けられている。また、ベース部３１ａの角部には、台座３１を底板２１ｂに固定するねじを挿入するねじ挿入部３１ａ１が設けられている。
【００１８】
また、台座３１は、中央に、筒状体３４を支持する筒状体支持部３１ｂを有する。筒状体支持部３１ｂは、ベース部３１ａの上面及び底面に対して、前側よりも後側が低くなるように傾斜した円形の板状に形成されている。この筒状体支持部３１ｂの傾斜角度は、所定の角度θ（例えば、８°）である。筒状体支持部３１ｂの周縁部は、下方のベース部３１ａに連続している。また、筒状体支持部３１ｂは、中央に、上下に開口した開口部Ａを有する。そして、筒状体支持部３１ｂの上面には、開口部Ａの周囲に沿う半円弧状の溝３１ｂ１及び溝３１ｂ２が設けられている。溝３１ｂ１の半径は、溝３１ｂ２の半径よりも大きい。溝３１ｂ１及び溝３１ｂ２の深さは同一である。また、溝３１ｂ１及び溝３１ｂ２は、互いに対向している。溝３１ｂ１及び溝３１ｂ２の一端が、それぞれ筒状体支持部３１ｂの前端部に位置し、溝３１ｂ１及び溝３１ｂ２の他端が、それぞれ筒状体支持部３１ｂの後端部に位置している。溝３１ｂ１及び溝３１ｂ２の一端の左右方向の位置は同一であり、溝３１ｂ１及び溝３１ｂ２の他端の左右方向の位置も同一である。
【００１９】
また、溝３１ｂ１及び溝３１ｂ２の周囲には、筒状体支持部３１ｂの周縁部から筒状体支持部３１の上面に垂直に延設された垂直壁３１ｂ３が設けられている。垂直壁３１ｂ３の前部は切り欠かれている。そして、この切り欠き部分の僅かに前方にて、筒状体支持部３１の上面に垂直方向かつ左右方向に延設された垂直壁３１ｂ４が設けられている。垂直壁３１ｂ４の左右方向の長さは、切り欠き部の左右方向の長さよりも長い。垂直壁３１ｂ４の右端及び左端は、垂直壁３１ｂ３の外周面に接続されている。すなわち、垂直壁３１ｂ４の左端部と垂直壁３１ｂ３との間、及び垂直壁３１ｂ４の右端部と垂直壁３１ｂ３との間には隙間が形成されている。この左右一対の隙間に、板バネ３２の左端部及び右端部をそれぞれ挿入して、板バネ３２を保持する。以下、この隙間が形成されている部分を板バネ保持部３１ｂ５という。垂直壁３１ｂ３の後部も前部と同様に構成されている。すなわち、垂直壁３１ｂ３の後部は切り欠かれていて、この切り欠き部の僅かに後方にて、垂直壁３１ｂ４と同様の垂直壁３１ｂ６が設けられ、板バネ３３を保持するための左右一対の板バネ保持部３１ｂ７が設けられている。左側の板バネ保持部３１ｂ５の上端面及び右側の板バネ保持部３１ｂ７の上端面には、上方へ僅かに突出した突起３１ｂ８が設けられている。また、垂直壁３１ｂ４，３１ｂ６の左端及び右端からそれぞれ左方及び右方へ離間した位置にて、筒状体支持部３１ｂの上面に垂直な方向に延設され、上下に開放された筒状のねじ挿入部３１ｂ９が設けられている。ねじ挿入部３１ｂ９は、垂直壁３１ｂ３の外周面に連結されている。
【００２０】
板バネ３２，３３は、図７Ａ及び図７Ｂに示すように、左端部及び右端部の上下方向の幅に比べて、中間部の上下方向の幅がやや狭い板状の部材で、中央にて前後に円弧状に湾曲した湾曲部３２ａ，３３ａが形成されている。板バネ３２，３３は、湾曲部３２ａ，３３ａの凸状の面が開口部Ａ側に向くようにして、板バネ保持部３１ｂ５に挿入されて保持される。すなわち、湾曲部３２ａ，３３ａは、垂直壁３１ｂ３の内周面よりも僅かに開口部Ａ側に突出している。
【００２１】
また、板バネ３２，３３の左端部及び右端部には、それぞれ上下方向に平行に２つの切り込みが入れられ、さらに前記切り込みの間の部分を上下に二等分するように左右方向に切り込みが入れられて、上下一対の小片部３２ｂ，３２ｃ，３３ｂ，３３ｃが形成されている。小片部３２ｂ，３３ｂは、下端が開放された自由端であって、上端が固定された固定端となっている。逆に、小片部３２ｃ，３３ｃは、上端が開放された自由端であって、下端が固定された固定端となっている。小片部３２ｂ，３２ｃ，３３ｂ，３３ｃは、それぞれ自由端側を起こすようにして曲げられている。板バネ３２，３３の左端部及び右端部が、板バネ保持部３１ｂ５に挿入されると、小片部３２ｂ，３２ｃ，３３ｂ，３３ｃの弾性力により、板バネ３２，３３の左右端部が、垂直壁３１ｂ３に押しつけられる。これにより、板バネ３２，３３が板バネ保持部３１ｂ５，３１ｂ７から脱落するのを防止している。
【００２２】
筒状体３４は、図８Ａ及び図８Ｂに示すように、円板状の円板部３４ａと、円板部３４ａの中央部から斜め上方へ延設された円筒状の筒状部３４ｂからなる。円板部３４ａの外径は、垂直壁３１ｂ３の内径よりも僅かに小さい。また、円板部３４ａの端面には、凹部３４ａ１，３４ａ２が設けられている。凹部３４ａ１，３４ａ２は、周方向において１８０°ずれている。また、円板部３４ａの底面から下方へ突出した凸部であって、溝３１ｂ１及び溝３１ｂ２にそれぞれ嵌合する凸部３４ａ３及び凸部３４ａ４が設けられている。凸部３４ａ３及び凸部３４ａ４は、凹部３４ａ１と凹部３４ａ２とを結ぶ直線上に設けられ、周方向において１８０°ずれている。また、円板部３４ａの下面の内周端部に、下方へ突出した操作部３４ａ５が設けられている。後述するように、筒状体３４が、台座３１に組み付けられると、操作部３４ａ５は、筒状体支持部３１ｂの開口部Ａを通って、筒状体支持部３４ｂの底面よりも下方へ僅かに突出する。上記のように、筒状体支持部３４ｂは、ベース部３４ａの底面に対して傾斜しているので、操作部３４ａ５は、台座３１の底面から突出しない（図２及び図９参照）。
【００２３】
筒状部３４ｂの下端は開放されていて、筒状部３４ｂには、下方からスピーカスタンド１０の連結部１２の先端部が挿入される。筒状部３４ｂの上端は閉じられていて、筒状部３４ｂに連結部１２が挿入されると、連結部１２の先端は、筒状部３４ｂの上端の内面に当接する。また、筒状部３４ｂの延設方向は、円板部３４ａの上面に垂直な方向に対して前記所定の角度θだけ、凹部３４ａ１側に傾いている。筒状部３４ｂの下端の直径は、連結部１２の直径よりも僅かに大きく、筒状部３４ｂの上端の直径は、連結部１２の直径よりも僅かに小さくなっている。また、筒状部３４ｂの内面には、筒状部３４ｂの延設方向に沿って、複数のレール状の凸部３４ｂ１が設けられている。連結部１２の表面には、軸線方向に沿って溝が設けられていて、凸部３４ｂ１と連結部１２の溝とが嵌合するようになっている。これにより、スピーカボックス２０が連結部１２の回りに回転するのを防止している。
【００２４】
円板３５は、フェルトをリング状にカットして形成されている。円板３５は、筒状部３４ｂに嵌め込まれて、円板部３４ａと固定板３６に挟まれる。
【００２５】
固定板３６は、中央に円形の開口部を有する。固定板３６には、台座３１のねじ挿入部３１ｂ９にそれぞれ対応した孔３６ａが設けられている。そして、バーリング加工により、孔３６ａの周りに立ち上がり部を設け、この立ち上がり部の内周面をタップ加工している。なお、バーリング加工によって立ち上がり部を設けずに、孔３６ａの上部に溶接、圧入などによりナットを組み付けてもよい。また、固定板３６の前端部及び後端部には、台座３１の突起３１ｂ８に対応した貫通孔３６ｂが設けられている。
【００２６】
次に、連結装置３０の組み立て手順について説明する。まず、筒状体３４の凸部３４ａ３及び凸部３４ａ４を、台座３１の溝３１ｂ１及び溝３１ｂ２にそれぞれ嵌合させ、筒状部３４ｂに円板３５及び固定板３６の開口部を通す。そして、固定板３６の貫通孔３６ｂに、台座３１の突起３１ｂ８を嵌合させる。これにより、固定板３６の位置が決定される。つぎに、台座３１の下方からねじ挿入部３１ｂ９にねじ３７を挿入して、ねじ３７を孔３６ａにねじ込む。これにより、筒状体３４の円板部３４ａが、台座３１と固定板３６によって挟まれた状態となる。上記のように、溝３１ｂ１及び溝３１ｂ２にそれぞれ凸部３４ａ３及び凸部３４ａ４が嵌合しているので、操作部３４ａ５を回すと、筒状体３４は、溝３１ｂ１及び溝３１ｂ２にガイドされて回転する。また、上記のように、溝３１ｂ１及び溝３１ｂ２は、半円弧状に形成されているので、筒状体３４は、１８０°回転することができる。上記のように、円板部３４ａと固定板３６との間に、フェルト製の円板３５を挟み込むことにより、筒状体３４の回転をスムースにするとともに、連結装置３０を底板２１ｄに組み付けた状態におけるエンクロージャ２１の密閉度を向上させている。
【００２７】
エンクロージャ２１の底板２１ｄの中央には、開口部が設けられており、この開口部に、底板２１ｄの下側から、上記のように構成した連結装置３０の筒状部３４ｂを通し、ベース部３１ａの上面を底板２１ｄの底面に当接させる。そして、台座３１のねじ挿入部３１ａ１にねじ３８を挿入し、底板２１の上面に載置した金属板に予め組み付けられたナットに、ねじ３８をねじ込む。これにより、台座３１を底板２１ｄに固定する。
【００２８】
上記のように、筒状体支持部３１ｂは、前側が後側よりも高くなるように、所定の角度θだけ傾斜しており、かつ筒状部３４ｂが、筒状体支持部３１ｂの上面に垂直な方向（すなわち、筒状体３４の回転軸）に対して前記所定の角度θだけずれた方向に延設されている。したがって、凹部３４ａ３が凹部３４ａ４の前側に位置するように、筒状体３４の回転位置を設定した場合は、筒状部３４ｂは、スピーカボックス２０の底板２１ｄに垂直な方向に延設された状態となる（図２及び図３参照）。この状態において、板バネ３２の凸部３２ａが凹部３４ａ３に嵌合し、板バネ３３の凸部３３ａが凹部３４ａ４に嵌合する。以下、この状態の筒状体３４の回転位置を第１回転位置という。
【００２９】
一方、凹部３４ａ３が凹部３４ａ４の後側に位置するように、筒状体３４の回転位置を設定した場合（すなわち、筒状体３４を、第１回転位置から１８０°回転させた場合）は、図９及び図１０に示すように、筒状部３４ｂは、底板２１ｄに垂直な方向に対して、前記所定の角度θの２倍の角度２θだけ後方に傾斜した方向に延設された状態となる。この状態において、板バネ３２の凸部３２ａが凹部３４ａ４に嵌合し、板バネ３３の凸部３３ａが凹部３４ａ３に嵌合する。以下、この状態の筒状体３４の回転位置を第２回転位置という。なお、図９においても、図２と同様に、左側の側板２１ｅは図示されているが、右側の側板２１ｅは紙面の手前側に位置するので図示されていない。
【００３０】
したがって、スピーカスタンド１０の連結部１２を筒状部３４ｂに挿入し、筒状体３４の回転位置を第１回転位置に設定すれば、スピーカボックス２０の放音方向は、図１１Ａに示すように、水平方向となる。一方、筒状体１７の回転位置を第２回転位置に設定すれば、スピーカボックス２０の放音方向は、図１１Ｂに示すように斜め下方となる。
【００３１】
上記のように構成した連結装置３０によれば、操作部３４ｂ５を筒状体３４の回転軸回りに回すだけで、スピーカボックス２０の放音方向を選択的に変更できる。また、この放音方向の変更作業において、スピーカボックス２０をスピーカスタンド１０から取り外す必要が無い。したがって、簡単に放音方向を変更できる。特に、スピーカユニット２２，２３の指向性が高い場合に有効である。また、筒状部３４ｂの下端の直径を、連結部１２の直径よりも僅かに大きくし、筒状部３４ｂの上端の直径を、連結部１２の直径よりも僅かに小さくした。これにより、連結部１２の先端部を筒状部３４ｂに挿入し易くすることができる。さらに、連結部１２を筒状部３４ｂに挿入するだけで、連結部１２と筒状部３４ｂとが締まり嵌め状態となり、強固に固定される。すなわち、ねじ、ナットなどの締結部材を用いなくても、スピーカボックス２０をスピーカスタンド１０に簡単かつ強固に連結できる。また、締結部材を用いないので、締結部材が緩んで、好ましくない事態が発生することもない。
【００３２】
また、筒状部３４ｂは、スピーカボックス２０の内部に露出している。すなわち、上記従来の連結装置のような、筒状体３４を回転させた際に筒状部３４ｂが移動する空間を覆うケースが設けられていない。したがって、スピーカボックス２０の内部において、連結装置３０が占有する空間は小さく、スピーカボックス２０の音質に与える影響が小さい。また、上記のように、操作部３４ａ５は、スピーカボックス２０の底部から突出しないので、不用意に操作部３４ａ５に触れて、放音方向がずれてしまうことが無い。さらに、筒状体３４の回転位置が、第１回転位置及び第２回転位置にあるとき、板バネ１６の凸部１６ａ及び板バネ１７の凸部１７ａが、凹部３４ａ３及び凹部３４ａ４にそれぞれ嵌合するようにした。すなわち、筒状体３４の回転位置を、第１回転位置から第２回転位置へ変更する場合、及び第２回転位置から第１回転位置へ変更する場合には、板バネ３２，３３を変形させて前記嵌合状態を解除するだけの回転力を、操作部３４ａ５を介して筒状体３４に加える必要がある。したがって、操作部３４ａ５及びエンクロージャ２１に少し触れただけで、放音方向がずれてしまうことを防止できる。
【００３３】
さらに、本発明の実施にあたっては、上記実施形態に限定されるものではなく、本発明の目的を逸脱しない限りにおいて種々の変更が可能である。
【００３４】
例えば、台座３１を、上記実施形態とは前後逆向きにして取り付けてもよい。この場合、筒状体３４の回転位置を第１回転位置に設定すれば、スピーカボックス２０の放音方向は、上記実施形態と同様に水平方向であるが、筒状体３４の回転位置を第２回転位置に設定すれば、スピーカボックス２０の放音方向を、斜め上方に設定できる。
【００３５】
また、上記実施形態においては、筒状体支持部３１ｂをベース部３１ａの上面に対して所定の角度θだけ傾斜させたが、筒状体支持部３１ｂの上面をベース部３１ａの上面と平行にしてもよい。この場合、筒状体３４の回転位置を第１回転位置に設定すれば、スピーカボックス２０の放音方向を斜め上方に設定でき、筒状体３４の回転位置を第２回転位置に設定すれば、スピーカボックス２０の放音方向を斜め下方に設定できる。
【００３６】
また、上記実施形態においては、操作部３４ａ５を介して筒状体３４に回転力を加えることにより、板バネ３２，３３を変形させて前記嵌合状態を解除するようにした。しかし、これに代えて、円板部３４ａの周辺において、円板部３４ａの上面に垂直な方向又は円板部３４ａの半径方向にのみ移動可能に構成されていて、凹部３４ａ３又は凹部３４ａ４に嵌合するスライド片を設けてもよい。すなわち、筒状体３４を、第１回転位置又は第２回転位置にて回転不能にロックする場合には、スライド片をスライドさせて凹部３４ａ３又は凹部３４ａ４に嵌合させ、前記ロックを解除する場合には、スライド片を逆方向にスライドさせて凹部３４ａ３又は凹部３４ａ４との嵌合を解除すればよい。これによれば、スピーカの放音方向を変更する場合には、スライド片を操作する必要があるので、誤ってスピーカの放音方向をずらしてしまうことを防止できる。
【００３７】
また、上記実施形態においては、連結部１２は円筒状のパイプである。しかし、連結部１２は円筒状のパイプに限られない。すなわち、連結部の断面形状はどのような形状であってもよく、連結部１２の断面形状に対応して筒状部３４ｂを形成すればよい。また、連結部１２は、中空の部材に限られず、中実の部材であってもよい。また、連結部１２の先端部を、先端側に向かうに従って徐々に細くしてもよい。
【符号の説明】
【００３８】
１０…スピーカスタンド、１２・・・連結部、２０…スピーカボックス、２１・・・エンクロージャ、３０…連結装置、３１・・・台座、３１ａ・・・ベース部、３１ｂ・・・筒状体支持部、３２，３３・・・板バネ、３４・・・筒状体、３４ａ３，３４ａ４・・・凹部
【図１】
0005659962.tif 000002
【図２】
0005659962.tif 000003
【図３】
0005659962.tif 000004
【図４】
0005659962.tif 000005
【図５】
0005659962.tif 000006
【図６Ａ】
0005659962.tif 000007
【図６Ｂ】
0005659962.tif 000008
【図７Ａ】
0005659962.tif 000009
【図７Ｂ】
0005659962.tif 000010
【図８Ａ】
0005659962.tif 000011
【図８Ｂ】
0005659962.tif 000012
【図９】
0005659962.tif 000013
【図１０】
0005659962.tif 000014
【図１１Ａ】
0005659962.tif 000015
【図１１Ｂ】
0005659962.tif 000016